(57)【要約】【課題】  ＭＦＰ内ＨＤＤに格納された画像情報のセキュリティー向上。【解決手段】  ＰＤＬアクセラレータが接続された場合、ＭＦＰコントローラをネットワークから切断し、ネットワークへの接続は、全てＰＤＬアクセラレータを介して行う。この処置により、ネットワークからアクセスできる記憶領域と、アクセスできない記憶領域を備えることになり、選択的にデータを格納することが出来る。【選択図】  図１
2006205570.tif 000002
【特許請求の範囲】
【請求項１】
スキャナ部、プリンタ部、前記スキャナ部と前記プリンタ部と接続され、スキャナ機能とプリンタ機能およびコピー機能等における信号処理を含む各種処理を実行するメイン・コントローラを備えたマルチ・ファンクション周辺装置において、
さらに、前記メイン・コントローラにバス接続され、プリント機能における信号処理を行う外部プリント・コントローラを備え、前記外部プリント・コントローラは、ネットワークと接続され、
前記メイン・コントローラは、前記外部プリント・コントローラが接続されると、前記メイン・コントローラとネットワークとの接続を切断する制御をすることを特徴とするマルチ・ファンクション周辺装置。
【請求項２】
スキャナ部、プリンタ部、前記スキャナ部と前記プリンタ部と接続され、スキャナ機能とプリンタ機能およびコピー機能等における信号処理を含む各種処理を実行するメイン・コントローラを備えたマルチ・ファンクション周辺装置において、
さらに、前記メイン・コントローラにバス接続され、プリント機能における信号処理を行う外部プリント・コントローラを備え、前記外部プリント・コントローラは、ネットワークと接続され、
前記メイン・コントローラは、画像データを格納するハード・ディスクを備え、
前記外部プリント・コントローラは、画像データを格納するハード・ディスクを備え、
前記メイン・コントローラは、前記メイン・コントローラ内ハード・ディスクと、前記外部プリント・コントローラ内ハード・ディスクにアクセスが可能である制御をすることを特徴とするマルチ・ファンクション周辺装置。
【請求項３】
スキャナ部、プリンタ部、前記スキャナ部と前記プリンタ部と接続され、スキャナ機能とプリンタ機能およびコピー機能等における信号処理を含む各種処理を実行するメイン・コントローラを備えたマルチ・ファンクション周辺装置において、
さらに、前記メイン・コントローラにバス接続され、プリント機能における信号処理を行う外部プリント・コントローラを備え、前記外部プリント・コントローラは、ネットワークと接続され、
前記メイン・コントローラは、画像データを格納するハード・ディスクを備え、
前記外部プリント・コントローラは、画像データを格納するハード・ディスクを備え、
前記外部プリント・コントローラは、前記外部プリント・コントローラ内ハード・ディスクにのみアクセスが可能である制御をすることを特徴とするマルチ・ファンクション周辺装置。
【請求項４】
スキャナ部、プリンタ部、前記スキャナ部と前記プリンタ部と接続され、スキャナ機能とプリンタ機能およびコピー機能等における信号処理を含む各種処理を実行するメイン・コントローラを備えたマルチ・ファンクション周辺装置において、
さらに、前記メイン・コントローラにバス接続され、プリント機能における信号処理を行う外部プリント・コントローラを備え、前記外部プリント・コントローラは、ネットワークと接続され、
前記メイン・コントローラは、前記外部プリント・コントローラが接続されると、前記メイン・コントローラとネットワークとの接続を切断し、
前記メイン・コントローラは、画像データを格納するハード・ディスクを備え、
前記外部プリント・コントローラは、画像データを格納するハード・ディスクを備え、
前記外部プリント・コントローラは、前記外部プリント・コントローラ内ハード・ディスクにのみアクセスが可能であり、
ユーザーが設定したセキュリティーレベルに応じて、前記メイン・コントローラ内ハード・ディスクあるいは前記外部プリント・コントローラ内ハード・ディスクで選択的にデータ格納を制御することを特徴とするマルチ・ファンクション周辺装置。
【発明の詳細な説明】
【技術分野】
【０００１】
本発明は、マルチ・ファンクション周辺装置、該装置用外部コントローラ、およびこれらの制御方法に関し、より詳細には、コピー機能、プリンタ機能、スキャナ機能等を有するマルチ・ファンクション周辺装置（以下ＭＦＰと記載する）に関する。
【背景技術】
【０００２】
本発明の属する技術分野における従来例を図２に示す。
【０００３】
符号１はＭＦＰコントローラ、符号２はスキャナ、符号３はプリンタを示し、これらで、スキャナ機能、プリンタ機能、コピー機能等を有するＭＦＰを構成している。
【０００４】
ＭＦＰコントローラ１のみでは、ＰＤＬプリントの処理能力が不足する場合は、ＰＣＩバス（専用バス）４を介して、外部にＰＤＬアクセラレータ５を接続し、外部ＰＤＬアクセラレ−タでＰＤＬを解析してビットマップ・データに展開し、展開したビットマップ・データをＭＦＰコントローラ１に戻すことで、ＰＤＬプリントの高速化に対応している。
【０００５】
ＰＤＬアクセラレータは、ネットワーク１１１に接続されるものと、ネットワーク１１１に接続されない場合とが考えられるが、ＰＤＬデータを直接受信した方が、ＭＦＰの処理速度に影響を与えない。図５に詳細なＭＦＰコントローラとＰＤＬアクセラレータの図を示す。
【０００６】
図４を使用して、従来におけるネットワークＰＤＬプリントのフローを説明する。ネットワーク１１１に接続されたＰＣ（記載せず）からプリントの操作が行われると（Ｓ８０１）、ＰＤＬプリント・データは、ネットワーク１１１、ＬＡＮｃｏｎｔ１１０、ＩＯバス１０６、バスＳＷ１０３を介して、ＲＡＭ１０１に記憶し、ＲＡＭ１０１データをバスＳＷ１０３、ＩＯバス１０６、ＰＣＩｃｏｎｔ１１２、ＰＣＩバス４、ＨＤｃｏｎｔ１１５を介して、ＨＤ１１６に、逐次記憶する（Ｓ８０２）。
【０００７】
ＨＤ１１６記憶されたＰＤＬデータを、ＨＤｃｏｎｔ１１５、ＰＣＩバス４、ＰＣＩｃｏｎｔ１１２、ＩＯバス１０６、バスＳＷ１０３を介して、ＲＡＭ１０１に取り込み、ＣＰＵ１０４の処理により、ＰＤＬコードに展開し、ＲＡＭ１０１に取り込む。
【０００８】
ＲＡＭ１０１のＰＤＬコードを、バスＳＷ１０３、ＩＯバス１０６、ＰＣＩｃｏｎｔ１１２、ＰＣＩバス４、ＰＤＬアクセラレータ５の１ＣｈｉｐコントローラＡＳＩＣ７のＰＣＩｃｏｎｔ１３３、ビデオ・バス１２７、バスＳＷ１２５を介して、ＲＡＭ１２３に転送する（Ｓ８０３）。
【０００９】
ＰＤＬアクセラレータ５の１ＣｈｉｐコントローラＡＳＩＣ７では、ＲＡＭ１２３のＰＤＬコードをＣＰＵ１２６によりビットマップ・データに展開し、ＲＡＭ１２３に記憶する（Ｓ８０４）。
【００１０】
ＲＡＭ１２３に記憶したビットマップ・データは、バスＳＷ１２５、ビデオ・バス１２７を介して圧縮／伸張ユニット１２９により圧縮し、ビデオ・バス１２７バスＳＷ１２５を介してＲＡＭ１２３に記憶する。ＲＡＭ１２３の圧縮したビットマップ・データは、バスＳＷ１２５、ＩＯバス１２８、ＰＣＩｃｏｎｔ１３３、ＰＣＩバス４、ＰＣＩｃｏｎｔ１１２、ＩＯバス１０６、バスＳＷ１０３を介して、ＲＡＭ１０１に転送する（Ｓ８０５）。
【００１１】
ＲＡＭ１０１に記憶した圧縮ビットマップ・データを、バスＳＷ１０３、ＩＯバス１０６、ＰＣＩｃｏｎｔ１１２、ＰＣＩバス４、ＨＤｃｏｎｔ１１５を介して、ＨＤ１１６に、記憶する（Ｓ８０６）。
【００１２】
ＨＤ１１６に記憶した圧縮ビットマップ・データを、ＨＤｃｏｎｔ１１５、ＰＣＩバス４、ＰＣＩｃｏｎｔ１１２、ＩＯバス１０６、バスＳＷ１０３を介して、ＲＡＭ１０１に記憶する。
【００１３】
ＲＡＭ１０１に記憶した、ＨＤ１１６から読み込んだ圧縮ビットマップ・データは、バスＳＷ１０３、ビデオ・バス１０５を介して、圧縮／伸張ユニット１０７で伸張し、ビデオ・バス１０５、バスＳＷ１０３を介して、ＲＡＭ１０１に記憶される（Ｓ８０７）。
【００１４】
ＲＡＭ１０１に記憶された、圧縮／伸張ユニット１０７で伸張されたビットマップ・データは、バスＳＷ１０３、ＩＯバス１０６、ビデオ出力Ｉ／Ｆ１０９、プリンタ画像処理１１４を介して、プリンタ３でプリントされる（Ｓ８０８）。
【００１５】
上述の説明において、ＭＦＰコントローラ内のＬＡＮｃｏｎｔ１１０がネットワークに接続されているとしていたが、ＰＤＬアクセラレータ内にもＬＡＮｃｏｎｔ１３２を備えている。したがって、ネットワークをＰＤＬアクセラレータ内のＬＡＮｃｏｎｔ１３２に接続することにより、ＰＤＬプリント時におけるＭＦＰコントローラの処理負担を軽減することが可能になる利点がある。この場合、ＬＡＮｃｏｎｔ１３２から入力したデータを、ＲＡＭ１２３を介して最終的にＨＤ１１６に格納することも可能である。しかし、ＰＤＬアクセラレータ５内にハード・ディスクを設け、このハード・ディスク内に入力したデータを一時保管することにより、ＭＦＰコントローラと競合する期間を低減し、全体としてより効率的な処理が可能になる。特に、ＭＦＰ本体の購入後に取りつけられるケースが多いと想定されるＰＤＬアクセラレータのような製品では、より高速なＣＰＵが採用されることが多く、このような場合には、ＰＤＬアクセラレータでＰＤＬ処理を部分的に分担するのではなく、ＰＤＬアクセラレータのみで実行させる方が、全体としてより高速な処理となる。このことは、ＬＡＮｃｏｎｔ１３２が、ＭＦＰ内のＬＡＮｃｏｎｔ１１０よりもより高速伝送が可能な場合も同様である。
【００１６】
以上説明では、Ｂ／ＷのＭＦＰの２値画像について記載したが、多値画像及びカラーのＭＦＰについても同様の効果がある。
【００１７】
次に、図３を用いて、コピーの処理フローを説明する。
【００１８】
ＵＩ（ユーザー・インターフェース部）１１８においてコピー操作が行われると、ＵＩｃｏｎｔ１１７、ＰＣＩバス４、ＰＣＩｃｏｎｔ１１２、ＩＯバス１０６、バスＳＷ１０３を介して、ＣＰＵ１０４に、コピー・ジョブが伝えられる（Ｓ４０１）。
【００１９】
ＣＰＵ１０４から、バスＳＷ１０３、ＩＯバス１０６、ビデオ入力Ｉ／Ｆ１０８、スキャナ画像処理部１１３を介して、スキャナ２に、スキャンの指示を行う。
【００２０】
スキャナ２において原稿から読み取った多値画像データは、スキャナ画像処理１１３に送られて２値の画像に変換され、ビデオ入力Ｉ／Ｆ１０８、ビデオ・バス１０５、バスＳＷ１０３を介して、ＲＡＭ１０１に記憶される（Ｓ４０２）。ＲＡＭ１０１に記憶したスキャン画像を、バスＳＷ１０３、ビデオ・バス１０５を介して、圧縮／伸張ユニット１０７で圧縮し、ビデオ・バス１０５、バスＳＷ１０３を介して、ＲＡＭ１０１に記憶される（Ｓ４０３）。
【００２１】
ＲＡＭ１０１に記憶した圧縮スキャン画像データを、バスＳＷ１０３、ＩＯバス１０６、ＰＣＩｃｏｎｔ１１２、ＰＣＩバス４、ＨＤ（ハード・ディスク）ｃｏｎｔ１１５を介して、ＨＤ１１６に記憶する（Ｓ４０４）。ＨＤ１１６に記憶した圧縮スキャン画像データを、ＨＤｃｏｎｔ１１５、ＰＣＩバス４、ＰＣＩｃｏｎｔ１１２、ＩＯバス１０６、バスＳＷ１０３を介して、ＲＡＭ１０１に記憶される（Ｓ４０５）。
【００２２】
ＲＡＭ１０１に記憶された、ＨＤ１１６から読み込んだ圧縮スキャン画像データは、バスＳＷ１０３、ビデオ・バス１０５を介して、圧縮／伸張ユニット１０７で伸張し、ビデオ・バス１０５、バスＳＷ１０３を介して、ＲＡＭ１０１に記憶される（Ｓ４０６）。ＲＡＭ１０１に記憶された、圧縮／伸張ユニット１０７で伸張されたビデオ・データは、バスＳＷ１０３、ＩＯバス１０６、ビデオ出力Ｉ／Ｆ１０９、プリンタ画像処理１１４を介して、プリンタ３でプリントされる（Ｓ４０７）。
【００２３】
又、別の従来例としては、特許文献１及び特許文献２をあげることが出来る。
【特許文献１】特開２００２−０９９７６０号公報
【特許文献２】特開２００４−０８６７６５号公報
【発明の開示】
【発明が解決しようとする課題】
【００２４】
しかしながら、以上説明したように、ＰＤＬアクセラレータで展開された画像データ、コピー・ジョブで展開された画像データは、必ずＭＦＰコントローラ内のＨＤ１１６に格納される。ＢＯＸ機能で使用するメモリ領域もＨＤ１１６であるため、このＨＤ１１６はネットワーク１１１により外部からアクセスされる。ネットワーク１１１に公開したくないコピー・ジョブの画像データも他からアクセスされてしまうセキュリティー（情報漏洩）上の問題が生じる。
【００２５】
セキュリティー（情報漏洩）対策として、ＩＤとパスワード設定や指紋認証による認証等が考えられており、ＨＤのフォルダーごとにセキュリティーレベルを設定する等の発明が数多く特許出願されている。しかしながら、これら対策では、ＨＤにアクセスできてしまうため情報破壊に対するセキュリティーが弱い。また、時間をかければセキュリティーのキーを解読されてしまう心配もある。
【００２６】
本発明は、この様な問題に鑑みてなされたもので、その目的とするところは、ネットワークからアクセスできる記憶領域と、アクセスできない記憶領域を備え、選択的にデータを格納する制御方法を提供することにある。
【課題を解決するための手段】
【００２７】
ＭＦＰに付加された外部プリント・コントローラは、ＰＤＬデータの解析およびビットマップ展開等の画像処理および上記展開された画像データ格納に用いるＨＤを備え、直接ＰＤＬデータをＰＣから受信するためにネットワークに接続されるＩ／Ｆを持つ。ＭＦＰもＳＥＮＤ機能やＢＯＸ機能のためにネットワーク接続Ｉ／Ｆを持つが、ＰＤＬアクセラレータが接続された場合は、ネットワークとの接続を切断し、ＰＤＬアクセラレータ経由でのみネットワーク接続をする。ＭＦＰコントローラは、ＰＤＬデータを展開した画像データ、コピー・ジョブにより展開された画像データ、ネットワークからＢＯＸに送信されてきたデータ、あるいはＳＥＮＤ機能で送信するための画像データの格納先あるいは画像処理のワークメモリとして使用するＨＤを、ＭＦＰコントローラ内部のＨＤか、外部プリント・コントローラ内部のＨＤかで選択切り替えする。セキュリティーを強化したい画像データはネットワークと直接接続されないＭＦＰコントローラ内部ＨＤに格納され、ネットワーク上で公開されても良い画像データは外部プリント・コントローラ内部ＨＤに格納する。
【発明の効果】
【００２８】
以上説明したように、本発明では、ＰＤＬアクセラレータが接続された場合、ＭＦＰコントローラをネットワークから切断し、ネットワークへの接続は、全てＰＤＬアクセラレータを介して行う。
【００２９】
ＭＦＰコントローラは、ＭＦＰコントローラ内のＨＤおよびＰＤＬアクセラレータ内のＨＤにアクセス可能であるが、ＰＤＬアクセラレータは、ＰＤＬアクセラレータ内ＨＤのみしかアクセスできない。ＰＤＬアクセラレータからＭＦＰコントローラのＨＤにアクセスするには、必ずＭＦＰコントローラのＣＰＵを介さないとアクセスできない。
【００３０】
よって、ネットワークからアクセスできる記憶領域と、アクセスできない記憶領域を備え、選択的にデータを格納する制御方法を提供することができる。それにより、コピー・ジョブとプリントジョブ、ＳＥＮＤ機能やＢＯＸ機能のデータのセキュリティーを強めることができる。
【発明を実施するための最良の形態】
【００３１】
本発明の実施例を図１に示す。１は、ＭＦＰコントローラ、２は、スキャナ、３は、プリンタを示し、さらにハード・ディスク１１６を備え、１，２，３，８で、コピー機能、プリンタ機能、スキャナ機能等を有するＭＦＰを構成している。ＭＦＰコントローラ１のみでは、高速のＰＤＬプリントの処理能力が不足の場合は、ＰＣＩバス４を介して、外部にＰＤＬアクセラレータ５を接続し、高速のプリンタに対応している。ＰＤＬアクセラレータ５は、内部にハード・ディスク２０１を備える。
【００３２】
図６、図７、図８に、本発明を適用したＢ／Ｗ  ＭＦＰ実施形態の詳細を示す。
【００３３】
図６に、本発明を適用したＢ／Ｗ  ＭＦＰ実施形態の詳細構成を示す。ＭＦＰにＰＤＬアクセラレータを接続した場合は、下記の制御を行う。
【００３４】
ＰＤＬアクセラレータ５が接続された場合、ＭＦＰコントローラ１のＣＰＵ１０４は、ＬＡＮｃｏｎｔ１１０を制御して、ＭＦＰをネットワーク１１１から切断する。ネットワークへの接続は、全てＰＤＬアクセラレータ５のＬＡＮｃｏｎｔ１３２を介して行う。
【００３５】
ＭＦＰコントローラ１のＣＰＵ１０４は、バスＳＷ１０３、ＩＯバス１０６、ＰＣＩｃｏｎｔ１１２、ＰＣＩバス４、ＨＤｃｏｎｔ１１５あるいはＨＤｃｏｎｔ２００を経由して、ＭＦＰコントローラ１内のＨＤ１１６およびＰＤＬアクセラレータ内のＨＤ２０１にアクセス可能である。
【００３６】
ＰＤＬアクセラレータ５のＣＰＵ１２６は、バスＳＷ１２５、ＩＯバス１２８、ＰＣＩｃｏｎｔ１３３、ＰＣＩバス４、ＨＤｃｏｎｔ２００を経由して、ＰＤＬアクセラレータ内のＨＤ２０１にアクセス可能であるが、ＭＦＰコントローラ１内のＨＤｃｏｎｔ１１５およびＨＤ１１６にはアクセス不可である。ＰＤＬアクセラレータ５からＭＦＰコントローラ１のＨＤ１１６にアクセスするには、必ずＭＦＰコントローラ１のＣＰＵ１０４を介さないとアクセスできない。
【００３７】
本実施形態における電子ソート・コピーのフローは、図７に示したものになる。
【００３８】
まず、図７を用いて、コピーの処理フローを説明する。
【００３９】
ＵＩ（ユーザー・インターフェース部）１１８においてコピー操作が行われると、ＵＩｃｏｎｔ１１７、ＰＣＩバス４、ＰＣＩｃｏｎｔ１１２、ＩＯバス１０６、バスＳＷ１０３を介して、ＣＰＵ１０４に、コピー・ジョブが伝えられる（Ｓ１２０１）。
【００４０】
ＣＰＵ１０４から、バスＳＷ１０３、ＩＯバス１０６、ビデオ入力Ｉ／Ｆ１０８、スキャナ画像処理部１１３を介して、スキャナ２に、スキャンの指示を行う。
【００４１】
スキャナ２において原稿から読み取った多値画像データは、スキャナ画像処理１１３に送られて２値の画像に変換され、ビデオ入力Ｉ／Ｆ１０８、ビデオ・バス１０５、バスＳＷ１０３を介して、ＲＡＭ１０１に記憶される（Ｓ１２０２）。ＲＡＭ１０１に記憶したスキャン画像を、バスＳＷ１０３、ビデオ・バス１０５を介して、圧縮／伸張ユニット１０７で圧縮し、ビデオ・バス１０５、バスＳＷ１０３を介して、ＲＡＭ１０１に記憶される（Ｓ１２０３）。
【００４２】
ＲＡＭ１０１に記憶した圧縮スキャン画像データを、バスＳＷ１０３、ＩＯバス１０６、ＰＣＩｃｏｎｔ１１２、ＰＣＩバス４、ＨＤ（ハード・ディスク）ｃｏｎｔ１１５を介して、ＨＤ１１６に記憶する（Ｓ１２０４，Ｓ１２０５）。
【００４３】
ＵＩ１１８において、コピー文書のネットワーク公開の指示が与えられた場合は、ＲＡＭ１０１に記憶した圧縮スキャン画像データを、バスＳＷ１０３、ＩＯバス１０６、ＰＣＩｃｏｎｔ１１２、ＰＣＩバス４、ＨＤ（ハード・ディスク）ｃｏｎｔ２００を介して、ＨＤ２０１に記憶する（Ｓ１２０４，Ｓ１２０６）。
【００４４】
ＨＤ１１６あるいはＨＤ２０１に記憶した圧縮スキャン画像データを、ＨＤｃｏｎｔ１１５、ＰＣＩバス４、ＰＣＩｃｏｎｔ１１２、ＩＯバス１０６、バスＳＷ１０３を介して、ＲＡＭ１０１に記憶される（Ｓ１２０７）。
【００４５】
コピー・ジョブにおいて、セキュリティーレベルの指定がない場合は、自動的にＭＦＰコントローラのＨＤ１１６にデータが格納され、ネットワークからは直接アクセスできないようになっている。
【００４６】
ＲＡＭ１０１に記憶された、ＨＤ１１６あるいはＨＤ２０１から読み込んだ圧縮スキャン画像データは、バスＳＷ１０３、ビデオ・バス１０５を介して、圧縮／伸張ユニット１０７で伸張し、ビデオ・バス１０５、バスＳＷ１０３を介して、ＲＡＭ１０１に記憶される（Ｓ１２０８）。ＲＡＭ１０１に記憶された、圧縮／伸張ユニット１０７で伸張されたビデオ・データは、バスＳＷ１０３、ＩＯバス１０６、ビデオ出力Ｉ／Ｆ１０９、プリンタ画像処理１１４を介して、プリンタ３でプリントされる（Ｓ１２０９）。
【００４７】
次に、図８を使用して、従来におけるネットワークＰＤＬプリントのフローを説明する。
【００４８】
ネットワーク１１１に接続されたＰＣ（記載せず）からプリントの操作が行われると（Ｓ１３０１）、ＰＤＬプリント・データは、ＰＤＬアクセラレータ５で受信され，ネットワーク１１１、ＬＡＮｃｏｎｔ１３２、ＩＯバス１２８、バスＳＷ１２５を介して、ＲＡＭ１２３に記憶し、ＲＡＭ１２３データをバスＳＷ１２５、ＩＯバス１２８、ＰＣＩｃｏｎｔ１３３、ＰＣＩバス４、ＨＤｃｏｎｔ２００を介して、ＨＤ２０１に、逐次記憶する（Ｓ１３０２）。
【００４９】
ＨＤ２０１記憶されたＰＤＬデータを、ＨＤｃｏｎｔ２００、ＰＣＩバス４、ＰＣＩｃｏｎｔ１３３、ＩＯバス１２８、バスＳＷ１２５を介して、ＲＡＭ１２３に取り込み、ＣＰＵ１２６の処理により、ＰＤＬコードに展開し、ＲＡＭ１２３に取り込む。ＰＤＬアクセラレータ５の１ＣｈｉｐコントローラＡＳＩＣ７では、ＲＡＭ１２３のＰＤＬコードをＣＰＵ１２６によりビットマップ・データに展開し、ＲＡＭ１２３に記憶する（Ｓ１３０３）。
【００５０】
ＲＡＭ１２３に記憶したビットマップ・データは、バスＳＷ１２５、ビデオ・バス１２７を介して圧縮／伸張ユニット１２９により圧縮し、ビデオ・バス１２７バスＳＷ１２５を介してＲＡＭ１２３に記憶する。ＲＡＭ１２３の圧縮したビットマップ・データは、バスＳＷ１２５、ＩＯバス１２８、ＰＣＩｃｏｎｔ１３３、ＰＣＩバス４、ＰＣＩｃｏｎｔ１１２、ＩＯバス１０６、バスＳＷ１０３を介して、ＲＡＭ１０１に転送する（Ｓ１３０４）。
【００５１】
プリントジョブにおいて、ユーザーがセキュリティーレベルをＰＣ上のドライバで設定した際は、ＰＤＬアクセラレータ５のＣＰＵ１２６が検知し、バスＳＷ１２５、ＩＯバス１２８、ＰＣＩｃｏｎｔ１３３、ＰＣＩバス４、ＰＣＩｃｏｎｔ１１２、ＩＯバス１０６、バスＳＷ１０３を介して、コントローラ１のＣＰＵ１０４に通知される。（Ｓ１３０５、Ｓ１３０６、Ｓ１３０８）
ユーザーがプリント・データを公開しないと選択した際は、ＣＰＵ１０４が、ＲＡＭ１０１に記憶した圧縮ビットマップ・データを、バスＳＷ１０３、ＩＯバス１０６、ＰＣＩｃｏｎｔ１１２、ＰＣＩバス４、ＨＤｃｏｎｔ１１５を介して、ＨＤ１１６に、記憶する（Ｓ１３０７）。
【００５２】
プリント・データのセキュリティーレベルが指定されなかった際は、ＣＰＵ１０４が、ＲＡＭ１０１に記憶した圧縮ビットマップ・データを、バスＳＷ１０３、ＩＯバス１０６、ＰＣＩｃｏｎｔ１１２、ＰＣＩバス４、ＨＤｃｏｎｔ２００を介して、ＨＤ２０１に、記憶する（Ｓ１３０９）。
【００５３】
ＨＤ１１６あるいはＨＤ２０１に記憶した圧縮ビットマップ・データを、ＨＤｃｏｎｔ１１５あるいはＨＤｃｏｎｔ２００、ＰＣＩバス４、ＰＣＩｃｏｎｔ１１２、ＩＯバス１０６、バスＳＷ１０３を介して、ＲＡＭ１０１に記憶する。
【００５４】
ＲＡＭ１０１に記憶した、ＨＤ１１６あるいはＨＤ２０１から読み込んだ圧縮ビットマップ・データは、バスＳＷ１０３、ビデオ・バス１０５を介して、圧縮／伸張ユニット１０７で伸張し、ビデオ・バス１０５、バスＳＷ１０３を介して、ＲＡＭ１０１に記憶される（Ｓ１３１０）。
【００５５】
ＲＡＭ１０１に記憶された、圧縮／伸張ユニット１０７で伸張されたビットマップ・データは、バスＳＷ１０３、ＩＯバス１０６、ビデオ出力Ｉ／Ｆ１０９、プリンタ画像処理１１４を介して、プリンタ３でプリントされる（Ｓ１３１１）。
【図面の簡単な説明】
【００５６】
【図１】本発明の構成。
【図２】従来例の構成。
【図３】従来例における電子ソート・コピーのデータ処理を説明するフローチャート。
【図４】従来例におけるネットワークＰＤＬプリントのデータ処理を説明するフローチャート。
【図５】従来例の構成の詳細。
【図６】本発明の構成の詳細。
【図７】本発明における電子ソート・コピーのデータ処理を説明するフローチャート。
【図８】本発明におけるネットワークＰＤＬプリントのデータ処理を説明するフローチャート。
【符号の説明】
【００５７】
１  ＭＦＰコントローラ
２  スキャナ
３  プリンタ
４  ＰＣＩバス
５  ＰＤＬアクセラレータ
７  ＡＳＩＣ
１０１、１２３  ＲＡＭ
１０３、１２４  バスＳＷ
１０４、１２６  ＣＰＵ
１０５、１２７  ビデオ・バス
１０６、１２８  ＩＯバス
１０７、１２９  圧縮／伸張ユニット
１０８、１３０  ビデオ入力Ｉ／Ｆ
１０９、１３１  ビデオ出力Ｉ／Ｆ
１１０、１３２  ＬＡＮｃｏｎｔ
１１１  ネットワーク
１１２、１３３  ＰＣＩｃｏｎｔ
１１３  スキャナ画像処理
１１４  プリンタ画像処理
１１５、２００  ＨＤｃｏｎｔ
１１６、２０１  ＨＤ
１１７  ＵＩｃｏｎｔ
１１８  ＵＩ
【図１】
2006205570.tif 000003
【図２】
2006205570.tif 000004
【図３】
2006205570.tif 000005
【図４】
2006205570.tif 000006
【図５】
2006205570.tif 000007
【図６】
2006205570.tif 000008
【図７】
2006205570.tif 000009
【図８】
2006205570.tif 000010